(57)【要約】【課題】本発明は、複数の固体撮像素子それぞれと、これらの複数の固体撮像素子それぞれに被写体像を結像する複数の撮影光学系それぞれとを有する複数の撮影部を備え、これらの複数の撮影光学系は各撮像領域内に少なくとも１つの同一の被写体を共通に含むように、複数の固体撮像素子それぞれに結像した各被写体像を画像データに生成する複眼式撮影装置に関し、消費電力の低減が図られた複眼式撮影装置を提供することを目的とする。【解決手段】複数の撮影部のうちの１つである第１の撮影部で得た画像データに基づいて行う画像中の任意のエリアの特定な対象の検出の検出結果に基づいて、複数の撮影部のうちのその第１の撮影部を除く少なくとも１つの第２の撮影部に対する通電制御を行う。【選択図】        図３
2007110499.tif 000002
【特許請求の範囲】
【請求項１】
複数の固体撮像素子それぞれと、該複数の固体撮像素子それぞれに被写体像を結像する複数の撮影光学系それぞれとを有する複数の撮影部を備え、該複数の撮影光学系は各撮像領域内に少なくとも１つの同一の被写体を共通に含むように、該複数の固体撮像素子それぞれに結像した各被写体像を画像データに生成する複眼式撮影装置において、
前記複数の撮影部のうちの１つである第１の撮影部で得た画像データに基づいて、該画像データにより表される画像中の任意のエリアの特定な対象を検出する対象検出部と、
前記対象検出部による検出結果に基づいて、前記複数の撮影部のうちの前記第１の撮影部を除く少なくとも１つの第２の撮影部に対する通電制御を行う通電制御部とを備えたことを特徴とする複眼式撮影装置。
【請求項２】
前記通電制御部に代えて、前記対象検出部による検出結果に基づいて、前記第２の撮影部の駆動周波数を変更する駆動周波数制御部を備えたことを特徴とする請求項１記載の複眼式撮影装置。
【請求項３】
前記通電制御部に代えて、前記対象検出部による検出結果に基づいて、前記第２の撮影部の記録画素数を変更する記録画素数制御部を備えたことを特徴とする請求項１記載の複眼式撮影装置。
【請求項４】
前記通電制御部に代えて、前記対象検出部による検出結果に基づいて、前記第１の撮影部を含む前記複数の撮影部の駆動周波数を変更する駆動周波数制御部を備えたことを特徴とする請求項１記載の複眼式撮影装置。
【請求項５】
前記通電制御部に代えて、前記対象検出部による検出結果に基づいて、前記第１の撮影部を含む前記複数の撮影部の記録画素数を変更する記録画素数制御部を備えたことを特徴とする請求項１記載の複眼式撮影装置。
【請求項６】
前記対象検出部が、前記画像中の人物を検出するものであることを特徴とする請求項１または２記載の複眼式撮影装置。
【請求項７】
前記対象検出部が、前記画像中の顔を検出するものであることを特徴とする請求項１または２記載の複眼式撮影装置。
【請求項８】
前記対象検出部が、前記画像中の移動体を検出するものであることを特徴とする請求項１または２記載の複眼式撮影装置。
【請求項９】
前記対象検出部が、前記画像中の、物体の温度を検出するものであることを特徴とする請求項１または２記載の複眼式撮影装置。
【発明の詳細な説明】
【技術分野】
【０００１】
本発明は、複数の固体撮像素子それぞれと、これらの複数の固体撮像素子それぞれに被写体像を結像する複数の撮影光学系それぞれとを有する複数の撮影部を備え、これらの複数の撮影光学系は各撮像領域内に少なくとも１つの同一の被写体を共通に含むように、複数の固体撮像素子それぞれに結像した各被写体像を画像データに生成する複眼式撮影装置に関する。
【背景技術】
【０００２】
従来より、撮影装置の中には、複数の固体撮像素子それぞれに被写体像を結像する複数の撮影光学系を備えた複眼式撮影装置がある。このような複眼式撮影装置として、例えば、複数の撮影光学系で同一の被写体を左右の視線に対応する相互に異なる方向から捉える立体撮影モードや、２つの撮影光学系で相互に隣接する被写体を捉えるパノラマ撮影モードが搭載された複眼式撮影装置が知られている。
【０００３】
複眼式撮影装置として、複数の撮影光学系により得られた複数の撮影画像を表示する際に使用する表示用メモリとこれら複数の撮影光学系により得られた複数の撮影画像を記録する際に使用する記録用メモリとを共用するための複数のメモリ手段を備えた複眼式撮影装置が提案されている（例えば、特許文献１参照。）。このような技術によれば、複眼式撮影装置において、画像表示時並びに撮影画像の記録時のメモリを共用することにより、複眼式撮影装置の消費電力の低減が図られる。
【０００４】
また、複眼式撮影装置として、複数の撮影光学系により得られた複数の撮影画像それぞれを表す複数の画像データをそれぞれ一時的にストアする複数のバッファメモリと、これらのバッファメモリそれぞれから読み出した複数の画像データを合成するとを備えた複眼式撮影装置も提案されている（例えば、特許文献２参照。）。このような技術によれば、複眼式撮影装置において、画像表示時並びに撮影画像の記録時にダブルバッファとしてメモリを使用することにより、メモリの効率化が可能となり、上述した特許文献１に提案された技術と同様に、複眼式撮影装置の消費電力の低減が図られる。
【０００５】
ここで、撮影装置の中には、被写体を撮影してデジタル動画像としてネットワークに出力するネットカメラがある。このようなネットカメラとして、被写体を撮影してデジタル動画像として画像信号を出力するカメラユニットと、このカメラユニットからの画像信号を圧縮する圧縮エンジンと、圧縮された画像信号を必要に応じてネットワークに出力可能な無線通信ユニットと、カメラユニットからの画像信号に基づき移動体を検出して、移動体が検出されない場合には撮影レートが低く圧縮や無線通信を行わない低消費電力モードに設定し、検出された場合にはその旨と検出画像とを無線通信ユニットを介して外部の端末に送信させ該端末からの指示があったときに低消費電力モードから通常モードに設定するＣＰＵと、バッテリを電源とし各回路に電力を供給する電源ユニットとを備えたネットカメラが提案されている（例えば、特許文献３参照。）。
【特許文献１】特開平１１−１２７３７４号公報
【特許文献２】特開２０００−１０２０３７号公報
【特許文献３】特開２００４−１４０５９５号公報
【発明の開示】
【発明が解決しようとする課題】
【０００６】
上述した特許文献１や特許文献２に提案された技術によれば、複眼式撮影装置の消費電力の低減が図られる。ところが、複眼式撮影装置においては複数の撮影光学系を駆動する必要があることから、一般に、単眼式の撮影装置に比して電力消費量が大きく、上述した特許文献１や特許文献２に提案された技術を適用したとしても、消費電力の低減に関して満足の行くレベルで解決されるとはいえない。
【０００７】
単眼式の撮影装置においては、上述した特許文献３に、低消費電力モードを有するネットカメラといった技術が提案されているものの、複眼式撮影装置にあっては、例えばこの特許文献３に提案されたような技術が搭載されるまでには至っていない。そのため、一般に単眼式の撮影装置に比して電力消費量が大きい複眼式撮影装置において１次電池や２次電池を用いて駆動する場合、短時間でバッテリ切れを引き起こして長時間撮影が不可能となってしまうおそれがある。
【０００８】
本発明は、上記事情に鑑み、消費電力の低減が図られた複眼式撮影装置を提供することを目的とするものである。
【課題を解決するための手段】
【０００９】
上記目的を達成する本発明の複眼式撮影装置は、
複数の固体撮像素子それぞれと、これらの複数の固体撮像素子それぞれに被写体像を結像する複数の撮影光学系それぞれとを有する複数の撮影部を備え、これらの複数の撮影光学系は各撮像領域内に少なくとも１つの同一の被写体を共通に含むように、複数の固体撮像素子それぞれに結像した各被写体像を画像データに生成する複眼式撮影装置において、
上記複数の撮影部のうちの１つである第１の撮影部で得た画像データに基づいて、この画像データにより表される画像中の任意のエリアの特定な対象を検出する対象検出部と、
上記対象検出部による検出結果に基づいて、上記複数の撮影部のうちの上記第１の撮影部を除く少なくとも１つの第２の撮影部に対する通電制御を行う通電制御部とを備えたことを特徴とする。
【００１０】
ここで、本発明にいう「通電制御」とは、例えば上記第２の撮影部に対する電力の供給を完全に停止する通電オフ制御や、上記第２の撮影部に関する要素のうちの、スタンバイ時における必要最低限の要素に電力を供給するスタンバイ制御などをいう。
【００１１】
本発明の複眼式撮影装置は、上記複数の撮影部のうちの１つである第１の撮影部で得た画像データに基づいて行う画像中の任意のエリアの特定な対象の検出の検出結果に基づいて、上記複数の撮影部のうちのその第１の撮影部を除く少なくとも１つの第２の撮影部に対する通電制御を行うものである。従って、本発明の複眼式撮影装置によれば、画像中の任意のエリアの特定な対象を目的に撮影を行う際に、その対象が非検出の状態において、対象の検出を担う上記第１の撮影部を除く少なくとも１つの第２の撮影部に対する通電制御を行うことにより、消費電力の低減が図られる。
【００１２】
ここで、上記本発明の複眼式撮影装置は、上記通電制御部に代えて、上記対象検出部による検出結果に基づいて、上記第２の撮影部の駆動周波数を変更する駆動周波数制御部を備えたという形態も好ましい。
【００１３】
上記通電制御部に代えて、このような駆動周波数制御部を備えた複眼式撮影装置によれば、画像中の任意のエリアの特定な対象を目的に撮影を行う際に、その対象が非検出の状態において、対象の検出を担う上記第１の撮影部を除く少なくとも１つの第２の撮影部に対する駆動周波数を変更して、単位時間あたりの撮影フレーム数を少なくすることにより、消費電力の低減が図られる。また、画像データを記録しておく記録メディアの容量を有効に利用することができる。
【００１４】
また、上記本発明の複眼式撮影装置は、上記通電制御部に代えて、上記対象検出部による検出結果に基づいて、上記第２の撮影部の記録画素数を変更する記録画素数制御部を備えたという形態も好ましい。
【００１５】
上記通電制御部に代えて、このような記録画素数制御部を備えた複眼式撮影装置によれば、画像中の任意のエリアの特定な対象を目的に撮影を行う際に、その対象が非検出の状態において、対象の検出を担う上記第１の撮影部を除く少なくとも１つの第２の撮影部に対する記録画素数を変更して、少ない画素数の画像データを処理することにより、消費電力の低減が図られる。また、画像データを記録しておく記録メディアの容量を有効に利用することができる。
【００１６】
また、上記本発明の複眼式撮影装置は、上記通電制御部に代えて、上記対象検出部による検出結果に基づいて、上記第１の撮影部を含む上記複数の撮影部の駆動周波数を変更する駆動周波数制御部を備えたという形態も好ましい。
【００１７】
このように、上記通電制御部に代えて、このような駆動周波数制御部を備えた複眼式撮影装置によれば、画像中の任意のエリアの特定な対象を目的に撮影を行う際に、その対象が非検出の状態において、対象の検出を担う上記第１の撮影部を含む上記複数の撮影部に対する駆動周波数を変更して、単位時間あたりの撮影フレーム数を少なくすることにより、消費電力の低減が図られる。また、画像データを記録しておく記録メディアの容量を有効に利用することができる。
【００１８】
また、上記本発明の複眼式撮影装置は、上記通電制御部に代えて、上記対象検出部による検出結果に基づいて、上記第１の撮影部を含む上記複数の撮影部の記録画素数を変更する記録画素数制御部を備えたという形態も好ましい。
【００１９】
上記通電制御部に代えて、このような記録画素数制御部を備えた複眼式撮影装置によれば、画像中の任意のエリアの特定な対象を目的に撮影を行う際に、その対象が非検出の状態において、対象の検出を担う上記第１の撮影部を含む上記複数の撮影部に対する記録画素数を変更して、少ない画素数の画像データを処理することにより、消費電力の低減が図られる。また、画像データを記録しておく記録メディアの容量を有効に利用することができる。
【００２０】
また、上記本発明の複眼式撮影装置は、上記対象検出部が、上記画像中の人物を検出するものであることが好ましい。
【００２１】
また、上記本発明の複眼式撮影装置は、上記対象検出部が、上記画像中の顔を検出するものであることも好ましい形態である。
【００２２】
また、上記本発明の複眼式撮影装置は、上記対象検出部が、上記画像中の移動体を検出するものであることも好ましい形態である。
【００２３】
さらに、上記本発明の複眼式撮影装置は、上記対象検出部が、上記画像中の、物体の温度を検出するものであることも好ましい形態である。
【００２４】
このように、対象検出部が画像中の人物や顔や移動体や物体の温度を検出することによって、例えば人物撮影を行う際に、人物が非検出の状態において消費電力の低減が図られる。
【発明の効果】
【００２５】
本発明によれば、複数の固体撮像素子それぞれに被写体像を結像する複数の撮影光学系を備えた複眼式撮影装置において、消費電力の低減が図られた複眼式撮影装置が提供される。
【発明を実施するための最良の形態】
【００２６】
以下、図面を参照して本発明の実施の形態を説明する。
【００２７】
図１は、本発明の複眼式撮影装置の一実施形態が適用された第１実施形態の２眼式デジタルカメラ１０を前面から見た外観斜視図である。
【００２８】
図１に示す２眼式デジタルカメラ１０は、２つの固体撮像素子（ここでは、Ｃｈａｒｇｅ  Ｃｏｕｐｌｅｄ  Ｄｅｖｉｃｅ：ＣＣＤとする）それぞれと、これらの２つのＣＣＤそれぞれに被写体像を結像する２つの撮影光学系それぞれとを有する２つの撮影部を備え、これらの２つの撮影光学系は各撮像領域内に少なくとも１つの同一の被写体を共通に含むように、２つのＣＣＤそれぞれに結像した各被写体像を画像データに生成する撮影装置である。
【００２９】
図１に示すように、この２眼式デジタルカメラ１０の前面の中央部には、外観上、被写体に焦点を合わせる複数のフォーカスレンズなどで構成される撮影光学系がそれぞれに内蔵された２つの撮影レンズ１１，１２が備えられている。また、この２眼式デジタルカメラ１０の内部の、２つの撮影レンズ１１，１２それぞれの背面にはＣＣＤ１１３，１２３（図２参照）が配備されている。２つの撮影レンズ１１，１２のうちの一方の撮影レンズ１１を経由してきた被写体光は、この一方の撮影レンズ１１の背面に配備されたＣＣＤ１１３（図２参照）に入射されてアナログ信号である被写体信号に変換され、一方の撮影レンズ１１に対する他方の撮影レンズ１２を経由してきた被写体光は、この他方の撮影レンズ１２の背面に配備されたＣＣＤ１２３（図２参照）に入射されてアナログ信号である被写体信号に変換される。また、この２眼式デジタルカメラ１０の前面の上部には、シャッタレリーズボタン１４への押下操作に同期して発光する閃光発光部１３が備えられている。また、この２眼式デジタルカメラ１０はセルフタイマ撮影機能を有しており、この２眼式デジタルカメラ１０の前面の中央上部には、セルフタイマ撮影機能を用いた撮影時に点滅するＬＥＤ発光部１４が備えられている。
【００３０】
また、この２眼式デジタルカメラ１０の上面には、シャッタレリーズボタン１５が備えられている。このシャッタレリーズボタン１５は、半押しおよび全押しの２段階で構成されている。この２眼式デジタルカメラ１０は、静止画を撮影する際に選択する静止画撮影モードと、動画を撮影する際に選択する動画撮影モードと、記録メディアに保存された撮影画像を再生する際に選択する再生モードとを有しており、静止画撮影モードあるいは動画撮影モードを選択すると、顔認識機能による画像中の顔の検出、ＡＦ機能による焦点調整、およびＡＥ機能による露光調整が連続的に行われる。
【００３１】
静止画撮影モードが選択された後にシャッタレリーズボタン１５を半押しすると、顔認識機能により検出された顔までの距離およびその顔の輝度を半押しされた時点の位置に固定するＡＦロックおよびＡＥロックが設定される。その後、シャッタレリーズボタン１５が半押しされた状態を保って構図を決定した上でシャッタレリーズボタン１５を全押しすると、シャッタが切られて被写体の静止画撮影が行われ、焦点および露光の双方が適正に調整された撮影画像が得られる。
【００３２】
また、詳細な説明は後述するが、静止画撮影モードが選択された後にシャッタレリーズボタン１５を全押しすると、顔認識機能による画像中の顔の検出、ＡＦ機能による焦点調整、およびＡＥ機能による露光調整が連続的に行われるとともに、顔認識機能により検出された顔までの距離およびその顔の輝度に基づいた動画撮影が行われる。
【００３３】
図２は、図１に示す２眼式デジタルカメラ１０の機能を示すブロック図である。
【００３４】
図２に示すように、２眼式デジタルカメラ１０の内部には、大きく分けて、２つの撮影レンズ１１，１２（図１参照）のうちの一方の撮影レンズ１１（図１参照）側に内蔵された第１撮影部１１０と、その一方の撮影レンズ１１（図１参照）に対する他方の撮影レンズ１２（図１参照）側に内蔵された第２撮影部１２０と、第１撮影部１１０および第２撮影部１２０から送られる信号を処理する信号処理部１３０とが設けられている。
【００３５】
第１撮影部１１０には、フォーカスレンズ１１１、ＩＲフィルタ（赤外線カットフィルタ）１１２、ＣＣＤ１１３、カメラＣＰＵ１１４、ＴＧ（タイミングジェネレータ）１１５、メカＣＰＵ１１６、ＣＤＳ（相関二重サンプリング）回路１１７、ＡＧＣ（オートゲインコントロール）回路１１８、Ａ／Ｄ（アナログ／デジタル）コンバータ１１９が具備されている。この第１撮影部１１０は、本発明にいう第１の撮影部の一例に相当する。
【００３６】
また、この第１撮影部１１０と同様に、第２撮影部１２０にも、フォーカスレンズ１２１、ＩＲフィルタ１２２、ＣＣＤ１２３、カメラＣＰＵ１２４、ＴＧ１２５、メカＣＰＵ１２６、ＣＤＳ回路１２７、ＡＧＣ回路１２８、Ａ／Ｄコンバータ１２９が具備されている。この第２撮影部１２０は、本発明にいう第２の撮影部の一例に相当する。
【００３７】
また、信号処理部１３０には、不揮発性メモリ１３１、ＲＡＭ１３２、第１バッファメモリ１３３ａ、第２バッファメモリ１３３ｂ、ＡＦ演算部１３４、ＡＥ演算部１３５、特定被写体検出部１３６、画像メモリ１３７、画像信号処理部１３８、ＤＳＰ１３９、圧縮伸長部１４０、表示メモリ１４１、表示制御部１４２、Ｄ／Ａコンバータ１４３、操作Ｉ／Ｆ１４４、電源制御部１４５、記録メディアＩ／Ｆ１４６、通信制御部１４７が具備されており、これらの各種要素はバス１４８を介して相互に接続されている。
【００３８】
さらに、この２眼式デジタルカメラ１０には、第１撮影部１１０、第２撮影部１２０、および信号処理部１３０のほかに、スルー画像や撮影画像などを表示させるための画像表示部１５０、図１に示すシャッタレリーズボタン１５や図示しない電源ボタンや各種設定を行う各種設定ボタンをまとめて表示した操作部１６０、２眼式デジタルカメラ１０に電力を供給するバッテリ１７０、撮影画像を表す画像データを記録しておく記録メディア１８０も設けられている。２眼式デジタルカメラ１０には、これらの他に、シャッタなどが備えられているが本発明の主題とは無関係であるので図示を省略する。
【００３９】
２眼式デジタルカメラ１０にバッテリ１７０を装填し、図示しない電源ボタンを操作して電源スイッチが入れられると電源がオンされ、２眼式デジタルカメラ１０が駆動される。
【００４０】
まず第１撮影部１１０の構成を、図２を参照して説明する。
【００４１】
２眼式デジタルカメラ１０では、図２の左方から被写体光が入射し、第１撮影部１１０のフォーカスレンズ１１１を経て、被写体光の赤外線をカットするＩＲフィルタ１１２を通過した後、被写体光に基づく被写体像をＣＣＤ１１３に結像し、アナログ信号である被写体信号として読み取る。ＣＣＤ１１３に被写体信号を出力させるにあたっては、カメラＣＰＵ１１４からの、所定時間ごと、あるいは図１に示すシャッタレリーズボタン１５が押下されたときに、ＣＣＤ１１３に被写体信号を出力させる指示に従った指示信号が、ＴＧ１１５を介してＣＣＤ１１３に与えられることによって行われる。尚、本来、撮影光学系には複数のレンズが配備され、それら複数のレンズのうち少なくとも１つのレンズが焦点の調節に大きく関与し、各レンズの相対位置が焦点距離に関与するが、この図２では、それらの複数のレンズのうち、焦点の調節に係わるレンズをフォーカスレンズ１１１として模式的に示している。
【００４２】
この２眼式デジタルカメラ１０が駆動されると、メカＣＰＵ１１６からの、フォーカスレンズ１１１を所定の駆動範囲内で移動させる指示や合焦位置に向かわせるための合焦位置の指示に従った指示信号によって、フォーカスレンズ１１３が移動し、撮影画角のうちの顔認識機能により検出された顔に焦点を合わせるＡＦ機能による焦点調整が連続的に行われる。また、詳細な説明は後述するが、撮影画角のうちの顔認識機能により検出された顔に対する露光調整を行うＡＥ機能による露光調整も連続的に行われる。
【００４３】
ＣＣＤ１１３に結像して読み取られた被写体信号はＣＤＳ回路１１７に読み出され、このＣＤＳ回路１１７で増幅率を調整してその調整された増幅率で被写体信号を増幅する。ＣＤＳ回路１１７で増幅率が調整された被写体信号はＡＧＣ回路１１８に読み出され、このＡＧＣ回路１１８でゲインを制御することによって被写体信号レベルの強弱を自動補正する。ＡＧＣ回路１１８で被写体信号レベルの強弱が自動補正された被写体信号は、Ａ／Ｄコンバータ１１９に読み出され、このＡ／Ｄコンバータ１１９でアナログ信号がデジタル信号に変換され信号処理部１３０へと出力される。
【００４４】
第２撮影部１２０の構成は、上述した第１撮影部１１０と同様の構成であるため、第２撮影部１２０の構成の説明は省略する。
【００４５】
次に、信号処理部１３０の構成を、図２を参照して説明する。
【００４６】
不揮発性メモリ１３１には、２眼式デジタルカメラ１０を動作させる各種プログラムなどが保存されている。
【００４７】
ＲＡＭ１３２には、例えば、ユーザによって、各モードそれぞれについて設定された項目情報などが書き込まれて保存される。
【００４８】
２眼式デジタルカメラ１０は、静止画撮影モードあるいは動画撮影モードが選択された際、顔認識機能による画像中の顔の検出、ＡＦ機能による焦点調整、およびＡＥ機能による露光調整を連続的に行うために、静止画撮影や動画撮影の前にも被写体信号を生成する。尚、静止画撮影や動画撮影の前に生成される被写体信号は、本撮影時に生成される被写体信号よりも低解像度の一時的なデータである。
【００４９】
第１撮影部１１０のフォーカスレンズ１１１などを経てＡ／Ｄコンバータ１１９でデジタル信号に変換された、静止画撮影や動画撮影の前に生成される低解像度の被写体信号や静止画撮影や動画撮影時に生成される被写体信号は、信号処理部１３０の第１バッファメモリ１３３ａに一旦蓄えられる。第１バッファメモリ１３３ａに一旦蓄えられた被写体信号は、画像中の顔の検出機能を実現するための演算を行う特定被写体検出部１３６に読み出され、この特定被写体検出部１３６で、その被写体信号のＲＧＢ信号から画像中の顔を検出する。この特定被写体検出部１３６は、本発明にいう対象検出部の一例に相当する。
【００５０】
また、その被写体信号は、ＡＦ機能を実現するための演算を行うＡＦ演算部１３４に読み出され、このＡＦ演算部１３４で、その被写体信号のＲＧＢ信号から被写体のコントラストを検出して被写体までの距離を測定し、検出結果に基づいて、フォーカスレンズ１１１，１２１によって焦点調整を行う。尚、ＡＦ演算部１３４は、特定被写体検出部１３６により顔が検出された場合にはその顔に対する焦点調整を行う。
【００５１】
さらに、その被写体信号は、ＡＥ機能を実現するための演算を行うＡＥ演算部１３５にも読み出され、このＡＥ演算部１３５で、その被写体信号のＲＧＢ信号から輝度信号を抽出して被写体の輝度を検出し、検出結果に基づいて、ＣＣＤ１１３，１２３に与えられる被写体光の光量が適切になるように露光調整を行う。尚、ＡＥ演算部１３５は、特定被写体検出部１３６により顔が検出された場合にはその顔に対する露光調整を行う。
【００５２】
また、第２撮影部１２０のフォーカスレンズ１２１などを経てＡ／Ｄコンバータ１２９でデジタル信号に変換された、静止画撮影や動画撮影の前に生成される低解像度の被写体信号や静止画撮影や動画撮影時に生成される被写体信号は、信号処理部１３０の第２バッファメモリ１３３ｂに一旦蓄えられる。第２バッファメモリ１３３ｂに一旦蓄えられた被写体信号に対して、上述した第１バッファメモリ１３３ａに一旦蓄えられた被写体信号に対する処理と同様の処理が施される。
【００５３】
画像信号処理部１３８は、静止画撮影や動画撮影時に生成されて画像メモリ１３７に書き込まれた被写体信号を画像メモリ１３７から読み出して、その被写体信号に対してＲＧＢレベルの調節やガンマ調整などを施す。
【００５４】
ＤＳＰ１３９は、静止画撮影や動画撮影時に生成されて画像メモリ１３７に書き込まれた被写体信号を画像メモリ１３７から読み出して、その被写体信号に対して輪郭強調などを施す。
【００５５】
圧縮伸長部１４０は、静止画撮影や動画撮影時に生成されて画像メモリ１３７に書き込まれた被写体信号を画像メモリ１３７から読み出して、その被写体信号に対してＪＰＥＧ圧縮に代表される圧縮処理や伸長処理を施す。
【００５６】
表示制御部１４２およびＤ／Ａコンバータ１４３は、画像信号処理部１３８、ＤＳＰ１３９、および圧縮伸長部１４０によって画像処理が施されて表示メモリ１４１に書き込まれた被写体信号を、画像表示部１５０で表示できるデータの形式に変換する。変換された後の被写体信号は、画像表示部１５０に送られ、被写体信号を表す撮影画像が画像表示部１５０に表示される。
【００５７】
操作Ｉ／Ｆ１４４は、操作部１６０による設定情報の授受を行うものである。
【００５８】
電源制御部１４５は、２眼式デジタルカメラ１０に装填されたバッテリ１７０の電池残量の画像表示部１５０への表示を制御する。また、この電源制御部１４５は、特定被写体検出部１３６によって顔が検出された場合には、第２撮影部１２０に対して電力を供給する通電オン制御を行い、特定被写体検出部１３６によって顔が検出されなかった場合には、第２撮影部１２０に対する電力の供給を完全に停止する通電オフ制御を行う。この電源制御部１４５は、本発明にいう通電制御部の一例に相当する。尚、ここでは本発明にいう通電制御の例として、通電オン制御や通電オフ制御の例を挙げたが、本発明にいう通電制御は、例えば、本発明にいう第２の撮影部に関する要素のうちの、スタンバイ時における必要最低限の要素に電力を供給するスタンバイ制御などであってもよい。
【００５９】
従って、第１実施形態の２眼式デジタルカメラ１０によれば、画像中の顔を目的に撮影を行う際に、その顔が非検出の状態において、顔の検出を担う第１撮影部１１０を除く第２撮影部１２０に対する電力の供給を完全に停止する通電オフ制御を行うことにより、消費電力の低減が図られる。
【００６０】
また、特定被写体検出部１３６が画像中の顔を検出することによって、人物撮影時において、人物が非検出の状態において消費電力の低減が図られる。
【００６１】
尚、ここでは、特定被写体検出部１３６が画像中の顔を検出する例を挙げたが、本発明にいう対象検出部は、これに限られるものではなく、例えば、画像中の人物や移動体や物体の温度など、画像中の任意のエリアの特定な対象を検出するものであってもよい。
【００６２】
記録メディアＩ／Ｆ１４６は、記録メディア１８０への被写体信号の記録や読み出しのための情報や信号の授受を行うものである。
【００６３】
通信制御部１４７は、信号処理部１３０内の各種要素間の通信を制御する。
【００６４】
２眼式デジタルカメラ１０は、基本的には以上のように構成されている。
【００６５】
ここで、２眼式デジタルカメラ１０における、本発明の一実施形態としての特徴は、電源制御部１４５における通電オフ制御の動作にあり、以下、この動作について詳述する。
【００６６】
図３は、第１実施形態の２眼式デジタルカメラ１０の起動処理が開始されてから動画撮影が終了するまでの間における動作の流れを説明するフローチャートである。
【００６７】
図３に示すフローチャートで説明する動作は、図示しない電源ボタン操作されることによって開始される。
【００６８】
まず、図示しない電源ボタンが操作されたことを受けて電源スイッチが入れられると電源がオンされ、２眼式デジタルカメラ１０が駆動される（ステップＳ１０１）。
【００６９】
ステップＳ１０１で２眼式デジタルカメラ１０が駆動されると、動作指示待ちのスタンバイ状態に移行し（ステップＳ１０２）、動画を撮影する際に選択する動画撮影モードを選択すると（ステップＳ１０３：Ｙｅｓ）、動画撮影が可能な撮影準備状態に移行し、顔認識機能による画像中の顔の検出、ＡＦ機能による焦点調整、およびＡＥ機能による露光調整が連続的に行われる。尚、この段階では、第１撮影部１１０に対して電力が供給されているが、第２撮影部１２０に対する電力の供給は完全に停止されている。
【００７０】
また、ステップＳ１０２でスタンバイ状態に移行した後、静止画を撮影する際に選択する静止画撮影モードを選択すると（ステップＳ１０３：Ｎｏ）静止画撮影モードに移行し（ステップＳ１０４）、記録メディアに保存された撮影画像を再生する際に選択する再生モードを選択すると（ステップＳ１０３：Ｎｏ）再生モードに移行する（ステップＳ１０４）。
【００７１】
ステップＳ１０３：Ｙｅｓで動画撮影モードが選択された後、シャッタレリーズボタン１５が全押しされるまでは（ステップＳ１０５：Ｎｏ）、ステップＳ１０３〜ステップＳ１０４の動作が可能である。
【００７２】
ステップＳ１０３：Ｙｅｓで動画撮影モードが選択された後、シャッタレリーズボタン１５が全押しされると動画撮影が開始され、特定被写体検出部１３６、ＡＦ演算部１３４、およびＡＥ演算部１３５の各々の動作が実行される。（ステップＳ１０５：Ｙｅｓ）。
【００７３】
ステップＳ１０５：Ｙｅｓで動画撮影が開始されると同時に、第１撮影部１１０より第１バッファメモリ１３３ａに取得された被写体信号に基づいて（ステップＳ１０６）、この被写体信号により表される画像中の顔を検出する動作が特定被写体検出部１３６で実行される（ステップＳ１０７）。
【００７４】
ステップＳ１０７で顔が検出された場合には（ステップＳ１０８：Ｙｅｓ）、電源制御部１４５によって、第２撮影部１２０に対して電力を供給する通電オン制御が行われる（ステップＳ１０９）。
【００７５】
また、ステップＳ１０７で顔が検出されなかった場合には（ステップＳ１０８：Ｎｏ）、電源制御部１４５によって、第２撮影部１２０に対する電力の供給を完全に停止する通電オフ制御が行われる（ステップＳ１１０）。
【００７６】
以下、動画撮影が行われている間（ステップＳ１１１：Ｎｏ）、ステップＳ１０６〜ステップＳ１１０の動作が実行され続ける。
【００７７】
動画撮影が行われている間にシャッタレリーズボタン１５が再度全押しされることによって（ステップＳ１１１：Ｙｅｓ）動画撮影が終了される（ステップＳ１１２）。
【００７８】
以上で、本発明の第１実施形態の説明を終了する。
【００７９】
次に、本発明の第２実施形態について説明する。
【００８０】
尚、以下説明する第２実施形態では、上述した第１実施形態で説明した装置構成とほぼ同じ装置構成を有するため、上述した第１実施形態との相違点に注目し、同じ要素については同じ符号を付して説明を省略する。
【００８１】
図４は、第２実施形態の２眼式デジタルカメラ２０の機能を示すブロック図である。
【００８２】
図４に示すように、２眼式デジタルカメラ２０の内部には、大きく分けて、２つの撮影レンズ１１，１２（図１参照）のうちの一方の撮影レンズ１１（図１参照）側に内蔵された第１撮影部１１０と、その一方の撮影レンズ１１（図１参照）に対する他方の撮影レンズ１２（図１参照）側に内蔵された第２撮影部１２０と、第１撮影部１１０および第２撮影部１２０から送られる信号を処理する信号処理部２３０とが設けられている。
【００８３】
信号処理部２３０には、不揮発性メモリ１３１、ＲＡＭ１３２、第１バッファメモリ１３３ａ、第２バッファメモリ１３３ｂ、ＡＦ演算部１３４、ＡＥ演算部１３５、特定被写体検出部１３６、画像メモリ１３７、画像信号処理部１３８、ＤＳＰ１３９、圧縮伸長部１４０、表示メモリ１４１、表示制御部１４２、Ｄ／Ａコンバータ１４３、操作Ｉ／Ｆ１４４、電源制御部２４５、記録メディアＩ／Ｆ１４６、通信制御部２４７、駆動周波数制御部２４９が具備されており、これらの各種要素はバス１４８を介して相互に接続されている。
【００８４】
信号処理部２３０の構成を、図４を参照して説明する。
【００８５】
第１撮影部１１０のフォーカスレンズ１１１などを経てＡ／Ｄコンバータ１１９でデジタル信号に変換された、静止画撮影や動画撮影の前に生成される低解像度の被写体信号や静止画撮影や動画撮影時に生成される被写体信号は、信号処理部２３０の第１バッファメモリ１３３ａに一旦蓄えられる。第１バッファメモリ１３３ａに一旦蓄えられた被写体信号は、画像中の顔の検出機能を実現するための演算を行う特定被写体検出部１３６に読み出され、この特定被写体検出部１３６で、その被写体信号のＲＧＢ信号から画像中の顔を検出する。この特定被写体検出部１３６は、本発明にいう対象検出部の一例に相当する。
【００８６】
また、その被写体信号は、ＡＦ機能を実現するための演算を行うＡＦ演算部１３４に読み出され、このＡＦ演算部１３４で、その被写体信号のＲＧＢ信号から被写体のコントラストを検出して被写体までの距離を測定し、検出結果に基づいて、フォーカスレンズ１１１，１２１によって焦点調整を行う。尚、ＡＦ演算部１３４は、特定被写体検出部１３６により顔が検出された場合にはその顔に対する焦点調整を行う。
【００８７】
さらに、その被写体信号は、ＡＥ機能を実現するための演算を行うＡＥ演算部１３５にも読み出され、このＡＥ演算部１３５で、その被写体信号のＲＧＢ信号から輝度信号を抽出して被写体の輝度を検出し、検出結果に基づいて、ＣＣＤ１１３，１２３に与えられる被写体光の光量が適切になるように露光調整を行う。尚、ＡＥ演算部１３５は、特定被写体検出部１３６により顔が検出された場合にはその顔に対する露光調整を行う。
【００８８】
また、第２撮影部１２０のフォーカスレンズ１２１などを経てＡ／Ｄコンバータ１２９でデジタル信号に変換された、静止画撮影や動画撮影の前に生成される低解像度の被写体信号や静止画撮影や動画撮影時に生成される被写体信号は、信号処理部２３０の第２バッファメモリ１３３ｂに一旦蓄えられる。第２バッファメモリ１３３ｂに一旦蓄えられた被写体信号に対して、上述した第１バッファメモリ１３３ａに一旦蓄えられた被写体信号に対する処理と同様の処理が施される。
【００８９】
電源制御部２４５は、２眼式デジタルカメラ２０に装填されたバッテリ１７０の電池残量の画像表示部１５０への表示を制御する。
【００９０】
通信制御部２４７は、信号処理部２３０内の各種要素間の通信を制御する。
【００９１】
駆動周波数制御部２４９は、特定被写体検出部１３６によって顔が検出された場合には、第２撮影部１２０に対する駆動周波数を上げることにより、単位時間あたりの撮影フレーム数を動画撮影用の撮影フレーム数に設定する制御を行い、特定被写体検出部１３６によって顔が検出されなかった場合には、第２撮影部１２０に対する駆動周波数を下げることにより、単位時間あたりの撮影フレーム数を動画撮影用の撮影フレーム数よりも少ない撮影フレーム数に設定する制御を行う。この駆動周波数制御部２４９は、本発明にいう駆動周波数制御部の一例に相当する。
【００９２】
従って、第２実施形態の２眼式デジタルカメラ２０によれば、画像中の顔を目的に撮影を行う際に、その顔が非検出の状態において、顔の検出を担う第１撮影部１１０を除く第２撮影部１２０に対する駆動周波数を下げて、単位時間あたりの撮影フレーム数を動画撮影用の撮影フレーム数よりも少ない撮影フレーム数に設定する制御を行うことにより、消費電力の低減が図られる。また、画像データを記録しておく記録メディア１８０の容量を有効に利用することができる。
【００９３】
２眼式デジタルカメラ２０は、基本的には以上のように構成されている。
【００９４】
ここで、２眼式デジタルカメラ２０における、本発明の一実施形態としての特徴は、駆動周波数制御部２４９における駆動周波数制御の動作にあり、以下、この動作について詳述する。
【００９５】
図５は、第２実施形態の２眼式デジタルカメラ２０の起動処理が開始されてから動画撮影が終了するまでの間における動作の流れを説明するフローチャートである。
【００９６】
図５に示すフローチャートで説明する動作は、図示しない電源ボタン操作されることによって開始される。
【００９７】
まず、図示しない電源ボタンが操作されたことを受けて電源スイッチが入れられると電源がオンされ、２眼式デジタルカメラ２０が駆動される（ステップＳ２０１）。
【００９８】
ステップＳ２０１で２眼式デジタルカメラ２０が駆動されると、動作指示待ちのスタンバイ状態に移行し（ステップＳ２０２）、動画を撮影する際に選択する動画撮影モードを選択すると（ステップＳ２０３：Ｙｅｓ）、動画撮影が可能な撮影準備状態に移行し、顔認識機能による画像中の顔の検出、ＡＦ機能による焦点調整、およびＡＥ機能による露光調整が連続的に行われる。尚、この段階では、第１撮影部１１０に対しては、単位時間あたりの撮影フレーム数が動画撮影用の撮影フレーム数に設定されているが、第２撮影部１２０に対しては、駆動周波数が下げられていることにより、単位時間あたりの撮影フレーム数が動画撮影用の撮影フレーム数よりも少ない撮影フレーム数に設定されている。
【００９９】
また、ステップＳ２０２でスタンバイ状態に移行した後、静止画を撮影する際に選択する静止画撮影モードを選択すると（ステップＳ２０３：Ｎｏ）静止画撮影モードに移行し（ステップＳ２０４）、記録メディアに保存された撮影画像を再生する際に選択する再生モードを選択すると（ステップＳ２０３：Ｎｏ）再生モードに移行する（ステップＳ２０４）。
【０１００】
ステップＳ２０３：Ｙｅｓで動画撮影モードが選択された後、シャッタレリーズボタン１５が全押しされるまでは（ステップＳ２０５：Ｎｏ）、ステップＳ２０３〜ステップＳ２０４の動作が可能である。
【０１０１】
ステップＳ２０３：Ｙｅｓで動画撮影モードが選択された後、シャッタレリーズボタン１５が全押しされると動画撮影が開始され、特定被写体検出部１３６、ＡＦ演算部１３４、およびＡＥ演算部１３５の各々の動作が実行される。（ステップＳ２０５：Ｙｅｓ）。
【０１０２】
ステップＳ２０５：Ｙｅｓで動画撮影が開始されると同時に、第１撮影部１１０より第１バッファメモリ１３３ａに取得された被写体信号に基づいて（ステップＳ２０６）、この被写体信号により表される画像中の顔を検出する動作が特定被写体検出部１３６で実行される（ステップＳ２０７）。
【０１０３】
ステップＳ２０７で顔が検出された場合には（ステップＳ２０８：Ｙｅｓ）、駆動周波数制御部２４９によって、第２撮影部１２０に対する駆動周波数が上げられることにより、単位時間あたりの撮影フレーム数を動画撮影用の撮影フレーム数に設定する制御が行われる（ステップＳ２０９）。
【０１０４】
また、ステップＳ２０７で顔が検出されなかった場合には（ステップＳ２０８：Ｎｏ）、駆動周波数制御部２４９によって、第２撮影部１２０に対する駆動周波数が下げられることにより、単位時間あたりの撮影フレーム数を動画撮影用の撮影フレーム数よりも少ない撮影フレーム数に設定する制御が行われる（ステップＳ２１０）。
【０１０５】
以下、動画撮影が行われている間（ステップＳ２１１：Ｎｏ）、ステップＳ２０６〜ステップＳ２１０の動作が実行され続ける。
【０１０６】
動画撮影が行われている間にシャッタレリーズボタン１５が再度全押しされることによって（ステップＳ２１１：Ｙｅｓ）動画撮影が終了される（ステップＳ２１２）。
【０１０７】
以上で、本発明の第２実施形態の説明を終了する。
【０１０８】
次に、本発明の第３実施形態について説明する。
【０１０９】
尚、以下説明する第３実施形態では、上述した第１実施形態で説明した装置構成とほぼ同じ装置構成を有するため、上述した第１実施形態との相違点に注目し、同じ要素については同じ符号を付して説明を省略する。
【０１１０】
図６は、第３実施形態の２眼式デジタルカメラ３０の機能を示すブロック図である。
【０１１１】
図６に示すように、２眼式デジタルカメラ３０の内部には、大きく分けて、２つの撮影レンズ１１，１２（図１参照）のうちの一方の撮影レンズ１１（図１参照）側に内蔵された第１撮影部１１０と、その一方の撮影レンズ１１（図１参照）に対する他方の撮影レンズ１２（図１参照）側に内蔵された第２撮影部１２０と、第１撮影部１１０および第２撮影部１２０から送られる信号を処理する信号処理部３３０とが設けられている。
【０１１２】
信号処理部３３０には、不揮発性メモリ１３１、ＲＡＭ１３２、第１バッファメモリ１３３ａ、第２バッファメモリ１３３ｂ、ＡＦ演算部１３４、ＡＥ演算部１３５、特定被写体検出部１３６、画像メモリ１３７、画像信号処理部１３８、ＤＳＰ１３９、圧縮伸長部１４０、表示メモリ１４１、表示制御部１４２、Ｄ／Ａコンバータ１４３、操作Ｉ／Ｆ１４４、電源制御部３４５、記録メディアＩ／Ｆ１４６、通信制御部３４７、記録画素数制御部３４９が具備されており、これらの各種要素はバス１４８を介して相互に接続されている。
【０１１３】
信号処理部３３０の構成を、図６を参照して説明する。
【０１１４】
第１撮影部１１０のフォーカスレンズ１１１などを経てＡ／Ｄコンバータ１１９でデジタル信号に変換された、静止画撮影や動画撮影の前に生成される低解像度の被写体信号や静止画撮影や動画撮影時に生成される被写体信号は、信号処理部３３０の第１バッファメモリ１３３ａに一旦蓄えられる。第１バッファメモリ１３３ａに一旦蓄えられた被写体信号は、画像中の顔の検出機能を実現するための演算を行う特定被写体検出部１３６に読み出され、この特定被写体検出部１３６で、その被写体信号のＲＧＢ信号から画像中の顔を検出する。この特定被写体検出部１３６は、本発明にいう対象検出部の一例に相当する。
【０１１５】
また、その被写体信号は、ＡＦ機能を実現するための演算を行うＡＦ演算部１３４に読み出され、このＡＦ演算部１３４で、その被写体信号のＲＧＢ信号から被写体のコントラストを検出して被写体までの距離を測定し、検出結果に基づいて、フォーカスレンズ１１１，１２１によって焦点調整を行う。尚、ＡＦ演算部１３４は、特定被写体検出部１３６により顔が検出された場合にはその顔に対する焦点調整を行う。
【０１１６】
さらに、その被写体信号は、ＡＥ機能を実現するための演算を行うＡＥ演算部１３５にも読み出され、このＡＥ演算部１３５で、その被写体信号のＲＧＢ信号から輝度信号を抽出して被写体の輝度を検出し、検出結果に基づいて、ＣＣＤ１１３，１２３に与えられる被写体光の光量が適切になるように露光調整を行う。尚、ＡＥ演算部１３５は、特定被写体検出部１３６により顔が検出された場合にはその顔に対する露光調整を行う。
【０１１７】
また、第２撮影部１２０のフォーカスレンズ１２１などを経てＡ／Ｄコンバータ１２９でデジタル信号に変換された、静止画撮影や動画撮影の前に生成される低解像度の被写体信号や静止画撮影や動画撮影時に生成される被写体信号は、信号処理部３３０の第２バッファメモリ１３３ｂに一旦蓄えられる。第２バッファメモリ１３３ｂに一旦蓄えられた被写体信号に対して、上述した第１バッファメモリ１３３ａに一旦蓄えられた被写体信号に対する処理と同様の処理が施される。
【０１１８】
電源制御部３４５は、２眼式デジタルカメラ３０に装填されたバッテリ１７０の電池残量の画像表示部１５０への表示を制御する。
【０１１９】
通信制御部３４７は、信号処理部３３０内の各種要素間の通信を制御する。
【０１２０】
記録画素数制御部３４９は、特定被写体検出部１３６によって顔が検出された場合には、第２撮影部１２０に対する記録画素数を拡大する制御を行い、特定被写体検出部１３６によって顔が検出されなかった場合には、第２撮影部１２０に対する記録画素数を縮小する制御を行う。この記録画素数制御部３４９は、本発明にいう記録画素数制御部の一例に相当する。
【０１２１】
従って、第３実施形態の２眼式デジタルカメラ３０によれば、画像中の顔を目的に撮影を行う際に、その顔が非検出の状態において、顔の検出を担う第１撮影部１１０を除く第２撮影部１２０に対する記録画素数を縮小する制御を行うことにより、少ない画素数の画像データを処理することとなり、消費電力の低減が図られる。また、画像データを記録しておく記録メディア１８０の容量を有効に利用することができる。
【０１２２】
２眼式デジタルカメラ３０は、基本的には以上のように構成されている。
【０１２３】
ここで、２眼式デジタルカメラ３０における、本発明の一実施形態としての特徴は、記録画素数制御部３４９における記録画素数制御の動作にあり、以下、この動作について詳述する。
【０１２４】
図７は、第３実施形態の２眼式デジタルカメラ３０の起動処理が開始されてから動画撮影が終了するまでの間における動作の流れを説明するフローチャートである。
【０１２５】
図７に示すフローチャートで説明する動作は、図示しない電源ボタン操作されることによって開始される。
【０１２６】
まず、図示しない電源ボタンが操作されたことを受けて電源スイッチが入れられると電源がオンされ、２眼式デジタルカメラ３０が駆動される（ステップＳ３０１）。
【０１２７】
ステップＳ３０１で２眼式デジタルカメラ３０が駆動されると、動作指示待ちのスタンバイ状態に移行し（ステップＳ３０２）、動画を撮影する際に選択する動画撮影モードを選択すると（ステップＳ３０３：Ｙｅｓ）、動画撮影が可能な撮影準備状態に移行し、顔認識機能による画像中の顔の検出、ＡＦ機能による焦点調整、およびＡＥ機能による露光調整が連続的に行われる。尚、この段階では、第１撮影部１１０に対しては、記録画素数が拡大されているが、第２撮影部１２０に対しては、記録画素数が縮小されている。
【０１２８】
また、ステップＳ３０２でスタンバイ状態に移行した後、静止画を撮影する際に選択する静止画撮影モードを選択すると（ステップＳ３０３：Ｎｏ）静止画撮影モードに移行し（ステップＳ３０４）、記録メディアに保存された撮影画像を再生する際に選択する再生モードを選択すると（ステップＳ３０３：Ｎｏ）再生モードに移行する（ステップＳ３０４）。
【０１２９】
ステップＳ３０３：Ｙｅｓで動画撮影モードが選択された後、シャッタレリーズボタン１５が全押しされるまでは（ステップＳ３０５：Ｎｏ）、ステップＳ３０３〜ステップＳ３０４の動作が可能である。
【０１３０】
ステップＳ３０３：Ｙｅｓで動画撮影モードが選択された後、シャッタレリーズボタン１５が全押しされると動画撮影が開始され、特定被写体検出部１３６、ＡＦ演算部１３４、およびＡＥ演算部１３５の各々の動作が実行される。（ステップＳ３０５：Ｙｅｓ）。
【０１３１】
ステップＳ３０５：Ｙｅｓで動画撮影が開始されると同時に、第１撮影部１１０より第１バッファメモリ１３３ａに取得された被写体信号に基づいて（ステップＳ３０６）、この被写体信号により表される画像中の顔を検出する動作が特定被写体検出部１３６で実行される（ステップＳ３０７）。
【０１３２】
ステップＳ３０７で顔が検出された場合には（ステップＳ３０８：Ｙｅｓ）、記録画素数制御部３４９によって、第２撮影部１２０に対する記録画素数を拡大する制御が行われる（ステップＳ３０９）。
【０１３３】
また、ステップＳ３０７で顔が検出されなかった場合には（ステップＳ３０８：Ｎｏ）、記録画素数制御部３４９によって、第２撮影部１２０に対する記録画素数を縮小する制御が行われる（ステップＳ３１０）。
【０１３４】
以下、動画撮影が行われている間（ステップＳ３１１：Ｎｏ）、ステップＳ３０６〜ステップＳ３１０の動作が実行され続ける。
【０１３５】
動画撮影が行われている間にシャッタレリーズボタン１５が再度全押しされることによって（ステップＳ３１１：Ｙｅｓ）動画撮影が終了される（ステップＳ３１２）。
【０１３６】
以上で、本発明の第３実施形態の説明を終了する。
【０１３７】
次に、本発明のについて説明する。
【０１３８】
尚、以下説明する第４実施形態では、上述した第１実施形態で説明した装置構成とほぼ同じ装置構成を有するため、上述した第１実施形態との相違点に注目し、同じ要素については同じ符号を付して説明を省略する。
【０１３９】
図８は、第４実施形態の２眼式デジタルカメラ４０の機能を示すブロック図である。
【０１４０】
図８に示すように、２眼式デジタルカメラ４０の内部には、大きく分けて、２つの撮影レンズ１１，１２（図１参照）のうちの一方の撮影レンズ１１（図１参照）側に内蔵された第１撮影部１１０と、その一方の撮影レンズ１１（図１参照）に対する他方の撮影レンズ１２（図１参照）側に内蔵された第２撮影部１２０と、第１撮影部１１０および第２撮影部１２０から送られる信号を処理する信号処理部４３０とが設けられている。
【０１４１】
信号処理部４３０には、不揮発性メモリ１３１、ＲＡＭ１３２、第１バッファメモリ１３３ａ、第２バッファメモリ１３３ｂ、ＡＦ演算部１３４、ＡＥ演算部１３５、特定被写体検出部１３６、画像メモリ１３７、画像信号処理部１３８、ＤＳＰ１３９、圧縮伸長部１４０、表示メモリ１４１、表示制御部１４２、Ｄ／Ａコンバータ１４３、操作Ｉ／Ｆ１４４、電源制御部４４５、記録メディアＩ／Ｆ１４６、通信制御部４４７、駆動周波数制御部４４９が具備されており、これらの各種要素はバス１４８を介して相互に接続されている。
【０１４２】
信号処理部４３０の構成を、図８を参照して説明する。
【０１４３】
第１撮影部１１０のフォーカスレンズ１１１などを経てＡ／Ｄコンバータ１１９でデジタル信号に変換された、静止画撮影や動画撮影の前に生成される低解像度の被写体信号や静止画撮影や動画撮影時に生成される被写体信号は、信号処理部４３０の第１バッファメモリ１３３ａに一旦蓄えられる。第１バッファメモリ１３３ａに一旦蓄えられた被写体信号は、画像中の顔の検出機能を実現するための演算を行う特定被写体検出部１３６に読み出され、この特定被写体検出部１３６で、その被写体信号のＲＧＢ信号から画像中の顔を検出する。この特定被写体検出部１３６は、本発明にいう対象検出部の一例に相当する。
【０１４４】
また、その被写体信号は、ＡＦ機能を実現するための演算を行うＡＦ演算部１３４に読み出され、このＡＦ演算部１３４で、その被写体信号のＲＧＢ信号から被写体のコントラストを検出して被写体までの距離を測定し、検出結果に基づいて、フォーカスレンズ１１１，１２１によって焦点調整を行う。尚、ＡＦ演算部１３４は、特定被写体検出部１３６により顔が検出された場合にはその顔に対する焦点調整を行う。
【０１４５】
さらに、その被写体信号は、ＡＥ機能を実現するための演算を行うＡＥ演算部１３５にも読み出され、このＡＥ演算部１３５で、その被写体信号のＲＧＢ信号から輝度信号を抽出して被写体の輝度を検出し、検出結果に基づいて、ＣＣＤ１１３，１２３に与えられる被写体光の光量が適切になるように露光調整を行う。尚、ＡＥ演算部１３５は、特定被写体検出部１３６により顔が検出された場合にはその顔に対する露光調整を行う。
【０１４６】
また、第２撮影部１２０のフォーカスレンズ１２１などを経てＡ／Ｄコンバータ１２９でデジタル信号に変換された、静止画撮影や動画撮影の前に生成される低解像度の被写体信号や静止画撮影や動画撮影時に生成される被写体信号は、信号処理部４３０の第２バッファメモリ１３３ｂに一旦蓄えられる。第２バッファメモリ１３３ｂに一旦蓄えられた被写体信号に対して、上述した第１バッファメモリ１３３ａに一旦蓄えられた被写体信号に対する処理と同様の処理が施される。
【０１４７】
電源制御部４４５は、２眼式デジタルカメラ４０に装填されたバッテリ１７０の電池残量の画像表示部１５０への表示を制御する。
【０１４８】
通信制御部４４７は、信号処理部４３０内の各種要素間の通信を制御する。
【０１４９】
駆動周波数制御部４４９は、特定被写体検出部１３６によって顔が検出された場合には、第１撮影部１１０および第２撮影部１２０の双方に対する駆動周波数を上げることにより、単位時間あたりの撮影フレーム数を動画撮影用の撮影フレーム数に設定する制御を行い、特定被写体検出部１３６によって顔が検出されなかった場合には、第１撮影部１１０および第２撮影部１２０の双方に対する駆動周波数を下げることにより、単位時間あたりの撮影フレーム数を動画撮影用の撮影フレーム数よりも少ない撮影フレーム数に設定する制御を行う。この駆動周波数制御部４４９は、本発明にいう駆動周波数制御部の一例に相当する。
【０１５０】
従って、第４実施形態の２眼式デジタルカメラ４０によれば、画像中の顔を目的に撮影を行う際に、その顔が非検出の状態において、顔の検出を担う第１撮影部１１０を含む第１撮影部１１０および第２撮影部１２０の双方に対する駆動周波数を下げて、単位時間あたりの撮影フレーム数を動画撮影用の撮影フレーム数よりも少ない撮影フレーム数に設定する制御を行うことにより、消費電力の低減が図られる。また、画像データを記録しておく記録メディア１８０の容量を有効に利用することができる。
【０１５１】
２眼式デジタルカメラ４０は、基本的には以上のように構成されている。
【０１５２】
ここで、２眼式デジタルカメラ４０における、本発明の一実施形態としての特徴は、駆動周波数制御部４４９における駆動周波数制御の動作にあり、以下、この動作について詳述する。
【０１５３】
図９は、第４実施形態の２眼式デジタルカメラ４０の起動処理が開始されてから動画撮影が終了するまでの間における動作の流れを説明するフローチャートである。
【０１５４】
図９に示すフローチャートで説明する動作は、図示しない電源ボタン操作されることによって開始される。
【０１５５】
まず、図示しない電源ボタンが操作されたことを受けて電源スイッチが入れられると電源がオンされ、２眼式デジタルカメラ４０が駆動される（ステップＳ４０１）。
【０１５６】
ステップＳ４０１で２眼式デジタルカメラ４０が駆動されると、動作指示待ちのスタンバイ状態に移行し（ステップＳ４０２）、動画を撮影する際に選択する動画撮影モードを選択すると（ステップＳ４０３：Ｙｅｓ）、動画撮影が可能な撮影準備状態に移行し、顔認識機能による画像中の顔の検出、ＡＦ機能による焦点調整、およびＡＥ機能による露光調整が連続的に行われる。尚、この段階では、第１撮影部１１０および第２撮影部１２０の双方に対して、駆動周波数が下げられていることにより、単位時間あたりの撮影フレーム数が動画撮影用の撮影フレーム数よりも少ない撮影フレーム数に設定されている。
【０１５７】
また、ステップＳ４０２でスタンバイ状態に移行した後、静止画を撮影する際に選択する静止画撮影モードを選択すると（ステップＳ４０３：Ｎｏ）静止画撮影モードに移行し（ステップＳ４０４）、記録メディアに保存された撮影画像を再生する際に選択する再生モードを選択すると（ステップＳ４０３：Ｎｏ）再生モードに移行する（ステップＳ４０４）。
【０１５８】
ステップＳ４０３：Ｙｅｓで動画撮影モードが選択された後、シャッタレリーズボタン１５が全押しされるまでは（ステップＳ４０５：Ｎｏ）、ステップＳ４０３〜ステップＳ４０４の動作が可能である。
【０１５９】
ステップＳ４０３：Ｙｅｓで動画撮影モードが選択された後、シャッタレリーズボタン１５が全押しされると動画撮影が開始され、特定被写体検出部１３６、ＡＦ演算部１３４、およびＡＥ演算部１３５の各々の動作が実行される。（ステップＳ４０５：Ｙｅｓ）。
【０１６０】
ステップＳ４０５：Ｙｅｓで動画撮影が開始されると同時に、第１撮影部１１０より第１バッファメモリ１３３ａに取得された被写体信号に基づいて（ステップＳ４０６）、この被写体信号により表される画像中の顔を検出する動作が特定被写体検出部１３６で実行される（ステップＳ４０７）。
【０１６１】
ステップＳ４０７で顔が検出された場合には（ステップＳ４０８：Ｙｅｓ）、駆動周波数制御部４４９によって、第１撮影部１１０および第２撮影部１２０の双方に対する駆動周波数が上げられることにより、単位時間あたりの撮影フレーム数を動画撮影用の撮影フレーム数に設定する制御が行われる（ステップＳ４０９）。
【０１６２】
また、ステップＳ４０７で顔が検出されなかった場合には（ステップＳ４０８：Ｎｏ）、駆動周波数制御部４４９によって、第１撮影部１１０および第２撮影部１２０の双方に対する駆動周波数が下げられることにより、単位時間あたりの撮影フレーム数を動画撮影用の撮影フレーム数よりも少ない撮影フレーム数に設定する制御が行われる（ステップＳ４１０）。
【０１６３】
以下、動画撮影が行われている間（ステップＳ４１１：Ｎｏ）、ステップＳ４０６〜ステップＳ４１０の動作が実行され続ける。
【０１６４】
動画撮影が行われている間にシャッタレリーズボタン１５が再度全押しされることによって（ステップＳ４１１：Ｙｅｓ）動画撮影が終了される（ステップＳ４１２）。
【０１６５】
以上で、本発明の第４実施形態の説明を終了する。
【０１６６】
次に、本発明の第５実施形態について説明する。
【０１６７】
尚、以下説明する第５実施形態では、上述した第１実施形態で説明した装置構成とほぼ同じ装置構成を有するため、上述した第１実施形態との相違点に注目し、同じ要素については同じ符号を付して説明を省略する。
【０１６８】
図１０は、第５実施形態の２眼式デジタルカメラ５０の機能を示すブロック図である。
【０１６９】
図１０に示すように、２眼式デジタルカメラ５０の内部には、大きく分けて、２つの撮影レンズ１１，１２（図１参照）のうちの一方の撮影レンズ１１（図１参照）側に内蔵された第１撮影部１１０と、その一方の撮影レンズ１１（図１参照）に対する他方の撮影レンズ１２（図１参照）側に内蔵された第２撮影部１２０と、第１撮影部１１０および第２撮影部１２０から送られる信号を処理する信号処理部５３０とが設けられている。
【０１７０】
信号処理部５３０には、不揮発性メモリ１３１、ＲＡＭ１３２、第１バッファメモリ１３３ａ、第２バッファメモリ１３３ｂ、ＡＦ演算部１３４、ＡＥ演算部１３５、特定被写体検出部１３６、画像メモリ１３７、画像信号処理部１３８、ＤＳＰ１３９、圧縮伸長部１４０、表示メモリ１４１、表示制御部１４２、Ｄ／Ａコンバータ１４３、操作Ｉ／Ｆ１４４、電源制御部５４５、記録メディアＩ／Ｆ１４６、通信制御部５４７、記録画素数制御部５４９が具備されており、これらの各種要素はバス１４８を介して相互に接続されている。
【０１７１】
信号処理部５３０の構成を、図１０を参照して説明する。
【０１７２】
第１撮影部１１０のフォーカスレンズ１１１などを経てＡ／Ｄコンバータ１１９でデジタル信号に変換された、静止画撮影や動画撮影の前に生成される低解像度の被写体信号や静止画撮影や動画撮影時に生成される被写体信号は、信号処理部５３０の第１バッファメモリ１３３ａに一旦蓄えられる。第１バッファメモリ１３３ａに一旦蓄えられた被写体信号は、画像中の顔の検出機能を実現するための演算を行う特定被写体検出部１３６に読み出され、この特定被写体検出部１３６で、その被写体信号のＲＧＢ信号から画像中の顔を検出する。この特定被写体検出部１３６は、本発明にいう対象検出部の一例に相当する。
【０１７３】
また、その被写体信号は、ＡＦ機能を実現するための演算を行うＡＦ演算部１３４に読み出され、このＡＦ演算部１３４で、その被写体信号のＲＧＢ信号から被写体のコントラストを検出して被写体までの距離を測定し、検出結果に基づいて、フォーカスレンズ１１１，１２１によって焦点調整を行う。尚、ＡＦ演算部１３４は、特定被写体検出部１３６により顔が検出された場合にはその顔に対する焦点調整を行う。
【０１７４】
さらに、その被写体信号は、ＡＥ機能を実現するための演算を行うＡＥ演算部１３５にも読み出され、このＡＥ演算部１３５で、その被写体信号のＲＧＢ信号から輝度信号を抽出して被写体の輝度を検出し、検出結果に基づいて、ＣＣＤ１１３，１２３に与えられる被写体光の光量が適切になるように露光調整を行う。尚、ＡＥ演算部１３５は、特定被写体検出部１３６により顔が検出された場合にはその顔に対する露光調整を行う。
【０１７５】
また、第２撮影部１２０のフォーカスレンズ１２１などを経てＡ／Ｄコンバータ１２９でデジタル信号に変換された、静止画撮影や動画撮影の前に生成される低解像度の被写体信号や静止画撮影や動画撮影時に生成される被写体信号は、信号処理部５３０の第２バッファメモリ１３３ｂに一旦蓄えられる。第２バッファメモリ１３３ｂに一旦蓄えられた被写体信号に対して、上述した第１バッファメモリ１３３ａに一旦蓄えられた被写体信号に対する処理と同様の処理が施される。
【０１７６】
電源制御部５４５は、２眼式デジタルカメラ５０に装填されたバッテリ１７０の電池残量の画像表示部１５０への表示を制御する。
【０１７７】
通信制御部５４７は、信号処理部５３０内の各種要素間の通信を制御する。
【０１７８】
記録画素数制御部５４９は、特定被写体検出部１３６によって顔が検出された場合には、第１撮影部１１０および第２撮影部１２０の双方に対する記録画素数を拡大する制御を行い、特定被写体検出部１３６によって顔が検出されなかった場合には、第１撮影部１１０および第２撮影部１２０の双方に対する記録画素数を縮小する制御を行う。この記録画素数制御部５４９は、本発明にいう記録画素数制御部の一例に相当する。
【０１７９】
従って、第５実施形態の２眼式デジタルカメラ５０によれば、画像中の顔を目的に撮影を行う際に、その顔が非検出の状態において、顔の検出を担う第１撮影部１１０を含む第１撮影部１１０および第２撮影部１２０の双方に対する記録画素数を縮小する制御を行うことにより、少ない画素数の画像データを処理することとなり、消費電力の低減が図られる。また、画像データを記録しておく記録メディア１８０の容量を有効に利用することができる。
【０１８０】
２眼式デジタルカメラ５０は、基本的には以上のように構成されている。
【０１８１】
ここで、２眼式デジタルカメラ５０における、本発明の一実施形態としての特徴は、記録画素数制御部５４９における記録画素数制御の動作にあり、以下、この動作について詳述する。
【０１８２】
図１１は、第５実施形態の２眼式デジタルカメラ５０の起動処理が開始されてから動画撮影が終了するまでの間における動作の流れを説明するフローチャートである。
【０１８３】
図１１に示すフローチャートで説明する動作は、図示しない電源ボタン操作されることによって開始される。
【０１８４】
まず、図示しない電源ボタンが操作されたことを受けて電源スイッチが入れられると電源がオンされ、２眼式デジタルカメラ５０が駆動される（ステップＳ５０１）。
【０１８５】
ステップＳ５０１で２眼式デジタルカメラ５０が駆動されると、動作指示待ちのスタンバイ状態に移行し（ステップＳ５０２）、動画を撮影する際に選択する動画撮影モードを選択すると（ステップＳ５０３：Ｙｅｓ）、動画撮影が可能な撮影準備状態に移行し、顔認識機能による画像中の顔の検出、ＡＦ機能による焦点調整、およびＡＥ機能による露光調整が連続的に行われる。尚、この段階では、第１撮影部１１０および第２撮影部１２０の双方に対して、記録画素数が縮小されている。
【０１８６】
また、ステップＳ５０２でスタンバイ状態に移行した後、静止画を撮影する際に選択する静止画撮影モードを選択すると（ステップＳ５０３：Ｎｏ）静止画撮影モードに移行し（ステップＳ５０４）、記録メディアに保存された撮影画像を再生する際に選択する再生モードを選択すると（ステップＳ５０３：Ｎｏ）再生モードに移行する（ステップＳ５０４）。
【０１８７】
ステップＳ５０３：Ｙｅｓで動画撮影モードが選択された後、シャッタレリーズボタン１５が全押しされるまでは（ステップＳ５０５：Ｎｏ）、ステップＳ５０３〜ステップＳ５０４の動作が可能である。
【０１８８】
ステップＳ５０３：Ｙｅｓで動画撮影モードが選択された後、シャッタレリーズボタン１５が全押しされると動画撮影が開始され、特定被写体検出部１３６、ＡＦ演算部１３４、およびＡＥ演算部１３５の各々の動作が実行される。（ステップＳ５０５：Ｙｅｓ）。
【０１８９】
ステップＳ５０５：Ｙｅｓで動画撮影が開始されると同時に、第１撮影部１１０より第１バッファメモリ１３３ａに取得された被写体信号に基づいて（ステップＳ５０６）、この被写体信号により表される画像中の顔を検出する動作が特定被写体検出部１３６で実行される（ステップＳ５０７）。
【０１９０】
ステップＳ５０７で顔が検出された場合には（ステップＳ５０８：Ｙｅｓ）、記録画素数制御部５４９によって、第１撮影部１１０および第２撮影部１２０の双方に対する記録画素数を拡大する制御が行われる（ステップＳ５０９）。
【０１９１】
また、ステップＳ５０７で顔が検出されなかった場合には（ステップＳ５０８：Ｎｏ）、記録画素数制御部５４９によって、第１撮影部１１０および第２撮影部１２０の双方に対する記録画素数を縮小する制御が行われる（ステップＳ５１０）。
【０１９２】
以下、動画撮影が行われている間（ステップＳ５１１：Ｎｏ）、ステップＳ５０６〜ステップＳ５１０の動作が実行され続ける。
【０１９３】
動画撮影が行われている間にシャッタレリーズボタン１５が再度全押しされることによって（ステップＳ５１１：Ｙｅｓ）動画撮影が終了される（ステップＳ５１２）。
【０１９４】
以上で、本発明の第５実施形態の説明を終了する。
【０１９５】
次に、本発明の第６実施形態および第７実施形態について説明する。
【０１９６】
尚、以下説明する第６実施形態および第７実施形態では、上述した第１実施形態との相違点に注目し、同じ要素については同じ符号を付して説明を省略する。
【０１９７】
図１２は、本発明の複眼式撮影装置の一実施形態が適用された第６実施形態の３眼式デジタルカメラ６０を前面から見た外観斜視図であり、図１３は、本発明の複眼式撮影装置の一実施形態が適用された第７実施形態の４眼式デジタルカメラ７０を前面から見た外観斜視図である。
【０１９８】
図１２に示す３眼式デジタルカメラ６０は、３つのＣＣＤそれぞれに被写体像を結像する３つの撮影光学系を備え、これらの３つの撮影光学系は各撮像領域内に少なくとも１つの同一の被写体を共通に含むように、３つのＣＣＤそれぞれに結像した各被写体像を画像データに生成する撮影装置である。図１２に示すように、この３眼式デジタルカメラ６０の前面の中央部には、外観上、被写体に焦点を合わせる複数のフォーカスレンズなどで構成される撮影光学系がそれぞれに内蔵された３つの撮影レンズ６１，６２，６３が備えられている。この３眼式デジタルカメラ６０は、本発明の複眼式撮影装置の一例に相当する。
【０１９９】
図１３に示す４眼式デジタルカメラ７０は、４つのＣＣＤそれぞれに被写体像を結像する４つの撮影光学系を備え、これらの４つの撮影光学系は各撮像領域内に少なくとも１つの同一の被写体を共通に含むように、４つのＣＣＤそれぞれに結像した各被写体像を画像データに生成する撮影装置である。図１３に示すように、この４眼式デジタルカメラ７０の前面の中央部には、外観上、被写体に焦点を合わせる複数のフォーカスレンズなどで構成される撮影光学系がそれぞれに内蔵された４つの撮影レンズ７１，７２，７３，７４が備えられている。この４眼式デジタルカメラ７０は、本発明の複眼式撮影装置の一例に相当する。
【０２００】
尚、上述した第１実施形態〜第５実施形態では、２つのＣＣＤそれぞれと、これらの２つのＣＣＤそれぞれに被写体像を結像する２つの撮影光学系それぞれとを有する２つの撮影部を備えた２眼式デジタルカメラに本発明を適用した例で説明したが、本発明は、これに限られるものではなく、例えば、第６実施形態で示した３眼式デジタルカメラや第７実施形態で示した４眼式デジタルカメラなど、複数の固体撮像素子それぞれと、これらの複数の固体撮像素子それぞれに被写体像を結像する複数の撮影光学系それぞれとを有する複数の撮影部を備えた複眼式撮影装置であればよい。
【図面の簡単な説明】
【０２０１】
【図１】本発明の複眼式撮影装置の一実施形態が適用された第１実施形態の２眼式デジタルカメラを前面から見た外観斜視図である。
【図２】図１に示す２眼式デジタルカメラの機能を示すブロック図である。
【図３】第１実施形態の２眼式デジタルカメラの起動処理が開始されてから動画撮影が終了するまでの間における動作の流れを説明するフローチャートである。
【図４】第２実施形態の２眼式デジタルカメラの機能を示すブロック図である。
【図５】第２実施形態の２眼式デジタルカメラの起動処理が開始されてから動画撮影が終了するまでの間における動作の流れを説明するフローチャートである。
【図６】第３実施形態の２眼式デジタルカメラの機能を示すブロック図である。
【図７】第３実施形態の２眼式デジタルカメラの起動処理が開始されてから動画撮影が終了するまでの間における動作の流れを説明するフローチャートである。
【図８】第４実施形態の２眼式デジタルカメラの機能を示すブロック図である。
【図９】第４実施形態の２眼式デジタルカメラの起動処理が開始されてから動画撮影が終了するまでの間における動作の流れを説明するフローチャートである。
【図１０】第５実施形態の２眼式デジタルカメラの機能を示すブロック図である。
【図１１】第５実施形態の２眼式デジタルカメラの起動処理が開始されてから動画撮影が終了するまでの間における動作の流れを説明するフローチャートである。
【図１２】本発明の複眼式撮影装置の一実施形態が適用された第６実施形態の３眼式デジタルカメラを前面から見た外観斜視図である。
【図１３】本発明の複眼式撮影装置の一実施形態が適用された第７実施形態の４眼式デジタルカメラを前面から見た外観斜視図である。
【符号の説明】
【０２０２】
１０，２０，３０，４０，５０    ２眼式デジタルカメラ
１１，１２，６１，６２，６３，７１，７２，７３，７４    撮影レンズ
１３    閃光発光部
１４    ＬＥＤ発光部
１５    シャッタレリーズボタン
１１０    第１撮影部
１１１，１２１    フォーカスレンズ
１１２，１２２    ＩＲフィルタ
１１３，１２３    ＣＣＤ
１１４，１２４    カメラＣＰＵ
１１５，１２５    ＴＧ
１１６，１２６    メカＣＰＵ
１１７，１２７    ＣＤＳ回路
１１８，１２８    ＡＧＣ回路
１１９，１２９    Ａ／Ｄコンバータ
１２０    第２撮影部
１３０，２３０，３３０，４３０，５３０    信号処理部
１３１    不揮発性メモリ
１３２    ＲＡＭ
１３３ａ    第１バッファメモリ
１３３ｂ    第２バッファメモリ
１３４    ＡＦ演算部
１３５    ＡＥ演算部
１３６    特定被写体検出部
１３７    画像メモリ
１３８    画像信号処理部
１３９    ＤＳＰ
１４０    圧縮伸長部
１４１    表示メモリ
１４２    表示制御部
１４３    Ｄ／Ａコンバータ
１４４    操作Ｉ／Ｆ
１４５，２４５，３４５，４４５，５４５    電源制御部
１４６    記録メディアＩ／Ｆ
１４７，２４７，３４７，４４７，５４７    通信制御部
１４８    バス
１５０    画像表示部
１６０    操作部
１７０    バッテリ
１８０    記録メディア
２４９，４４９    駆動周波数制御部
３４９，５４９    記録画素数制御部
６０    ３眼式デジタルカメラ
７０    ４眼式デジタルカメラ
【図１】
2007110499.tif 000003
【図２】
2007110499.tif 000004
【図３】
2007110499.tif 000005
【図４】
2007110499.tif 000006
【図５】
2007110499.tif 000007
【図６】
2007110499.tif 000008
【図７】
2007110499.tif 000009
【図８】
2007110499.tif 000010
【図９】
2007110499.tif 000011
【図１０】
2007110499.tif 000012
【図１１】
2007110499.tif 000013
【図１２】
2007110499.tif 000014
【図１３】
2007110499.tif 000015